(57)【要約】      （修正有）【課題】薄状平坦に折り畳むことができて、要介護者を敷き寝具上を転移させた際に、安全かつ容易に敷き寝具上から浴槽内への移動を可能とする入浴装置を提供する。【解決手段】要介護者が仰臥状態で入浴可能な縦長の浴槽１を、一枚のシートから構成する床部形成体と、床部形成体の外周部全域に水密的に囲繞設置された空気袋からなる周壁部形成体３と、周壁部形成体３の頂部に外縁部４ａの一の部位が固着されると共に外縁部４ａの残りの部位がファスナー１０を介して着脱可能に設置されたシート状のカバー体と、を有して、床部形成体において、浴槽１内に仰臥状態の要介護者５の頭部５ｃが位置する部位に別体構成の入浴用枕体１２を載置する枕体載置部位３Ａを形成し、足部５ｄ先方の部位に足裏に対向して要介護者５の浴槽内への潜り込みを防止する別体構成の足裏支持体を載置する足裏支持体載置部位３Ｂを形成してなる。【選択図】図２
0003152769.tif 000002
【実用新案登録請求の範囲】
【請求項１】
要介護者が仰臥状態で入浴可能な縦長の浴槽を、一枚のシートから構成する床部形成体と、該床部形成体の外周部全域に水密的に囲繞設置された空気袋からなる周壁部形成体と、該周壁部形成体の頂部に外縁部の一の部位が固着されると共に外縁部の残りの部位がファスナーを介して着脱可能に設置されたシート状のカバー体と、を有して構成しており、前記床部形成体において、前記浴槽内に仰臥した状態の前記要介護者の頭部が位置する部位に別体構成の入浴用枕体を載置する枕体載置部位を形成すると共に、同じく前記浴槽内に仰臥した状態の前記要介護者の足部先方の部位に当該要介護者の足裏に対向して要介護者の前記浴槽内への潜り込みを防止する別体構成の足裏支持体を載置する足裏支持体載置部位を形成してなる介護用入浴装置。
【請求項２】
前記周壁部形成体は、仰臥状態の前記要介護者の胴部付近が位置する中央部対向周壁部間を幅広に形成すると共に、該幅広の中央部対向周壁部を挟んで前記要介護者の頭部を取囲む頭部側端部対向周壁部間および前記要介護者の足部を取囲む足部側端部対向周壁部間を前記床部形成体内方に向かって絞り込むことによって幅狭に形成することによって、平面視両端部先細り状の略舟形形状を呈して構成されていることを特徴とする請求項１に記載の介護用入浴装置。
【請求項３】
前記浴槽において、当該浴槽内に湯水を注入する注入口を前記要介護者の足部又は頭部が位置する部位周辺に設けると共に、前記要介護者の胴部が位置する部位周辺に前記浴槽内の湯水を外部に排出する排出口を設けたことを特徴とする請求項１又は２に記載の介護用入浴装置。
【請求項４】
前記湯水の注入口は、湯水供給パイプを挿着すべく前記カバー体に穿設した孔部によって構成すると共に、前記湯水の排出口は、折り畳み可能に構成した排出パイプの一端を前記浴槽内に開口設置することによって構成したことを特徴とする請求項３に記載の介護用入浴装置。
【請求項５】
前記カバー体における前記外縁部の一の部位を、前記周壁部形成体における前記足部側端部対向周壁部の頂部に固着すると共に、前記外縁部の残りの部位は、前記周壁部形成体における前記中央部対向周壁部および前記頭部側端部対向周壁部の頂部にファスナーを介して着脱可能に取付けられていることを特徴とする請求項１乃至請求項４のいずれか一に記載の介護用入浴装置。
【請求項６】
前記カバー体を前記周壁部形成体にファスナーを介して取付ける際に、前記周壁部形成体の頂部に予め長尺帯状のファスナー取付け用シート材の一側長辺端部を水密的に設置し、該ファスナー取付け用シート材の他側長辺端部を前記ファスナーの取付け部位として構成したことを特徴とする請求項１乃至請求項５のいずれか一に記載の介護用入浴装置。
【考案の詳細な説明】
【技術分野】
【０００１】
本考案は、寝たきり高齢者や病人等の要介護者の入浴に適する介護用入浴装置、特に、要介護者が仰臥しているベッド用敷きマット或いは敷布団等の敷き寝具上に載置して使用するのに適する介護用入浴装置に関する。
【背景技術】
【０００２】
この種の介護用入浴装置は、従来から種々提案されている。例えば、一の従来技術は、要介護者が仰向けに横たわった姿勢で入浴することができる縦長の浴槽を備え、該浴槽の内部一端には仰臥状態になっている要介護者の頭部を支持する入浴用枕体が設けられると共に、該入浴用枕体の周辺を開放した状態にして前記浴槽の上面を開閉自在に覆うカバーが設けられてなり、前記浴槽の底面上に、仰臥状態になっている要介護者の背中に接する複数のバルーンが並設されてなる膨張収縮マットが設けられ、該膨張収縮マットの各バルーンが空気の注入又は排出によって独立して膨張又は収縮をなすことにより、各バルーンが要介護者の背中に接触した部位又は離間した部位を生じさせるように構成している（特許文献１参照）。
【０００３】
また、他の従来技術としての介護用簡易風呂である介護用入浴装置によれば、可撓性と防水性とを有するシート材からなり、仰臥状態の要介護者を被包可能でかつ湯水を貯溜可能な浴槽と、該浴槽の端部に一体配置される入浴用枕とを備え、該入浴用枕体を、要介護者の頭部を背部より高い位置で支持可能な頭部支持部、隔壁部、仕切部および流出通路を有して構成しているものである（特許文献２参照）。
【先行技術文献】
【特許文献】
【０００４】
【特許文献１】特開２００８−１１３８８９号公報
【特許文献２】特開平１１−１９１５３号公報
【考案の概要】
【考案が解決しようとする課題】
【０００５】
上記いずれの介護用入浴装置は、ベッド用敷きマットや敷布団等の敷き寝具の上に載置することによって、要介護者を入浴させることができるように構成されていることから、一般家庭において使用できる簡易な入浴装置であるといえる。
【０００６】
しかしながら、いずれの介護用入浴装置であっても、ベッド用敷きマットや敷布団等の敷き寝具上に予め、浴槽を要介護者が仰臥状態で入浴可能な立体的に形成した状態にしておき、前以て当該敷き寝具外に待機させておいた要介護者を介護者が抱え上げながら、当該浴槽内に移動させる必要がある。
【０００７】
かかる要介護者の浴槽への移動は、一人の介護者によっては要介護者に危険が伴うことから到底無理であり、どうしても複数の介護者によって行わざるを得ず、また、たとえ複数の介護者の介添えによって要介護者の移動を行ったとしても、どうしても介護者に大きな負担を掛けてしまうことになり、また、要介護者にとっても、身体の移動に際して苦痛や負担がかかってしまう。かかることから、特に一般家庭においては、要介護者の入浴回数を制限せざるを得ず、勢い、要介護者を不衛生のまま日常の介護を施してしまいがちとなる。
【０００８】
そこで、上記いずれの介護用入浴装置は、例えば収縮マット等の内部空気を排出しておくことによって、平坦状に形成して、これを折り畳むことができることに鑑み、予め長手方向に細く折り畳んだ状態の介護用入浴装置を、要介護者に敷き寝具の端の方に転移させながら、要介護者と敷き寝具との間に入り込ませ、その後、更に要介護者を転移させながておき折り畳み状態を解くことによって、敷き寝具上に拡げて、その後、収縮マット等の内部に空気を供給して膨らませ立体的な浴槽形状に形成して、当該浴槽内に湯水張りして要介護者を入浴させるようにすることが考えられる。
【０００９】
しかしながら、従来の介護用入浴装置は、このように要介護者に敷き寝具上を転移させながら折り畳み状態から浴槽形状に仕立てる過程において、要介護者は、折り畳まれた介護用入浴装置上を何度も転移させられることになり、この結果、収縮マットや入浴用枕体等の介護用入浴装置に付属取着された付属装置上をも要介護者は当然ながら転移させられることになる。
【００１０】
したがって、要介護者は、介護用入浴装置本体側に加えて、付属装置の存在によって、敷き寝具上を転移させられる過程において、身体にでこぼこ感を生じさせてしまい、不愉快な思いをさせてしまい、もしも要介護者の身体のどこかに擦り傷やでき物或いは手術跡等の患部があった場合には、当該患部に付属装置が衝接或いは擦接してしまい、折角治癒に向かっている患部を更に傷めてしまうことにもなりかねない。
【００１１】
そこで、本考案は、従来のような付属装置による要介護者への影響を無くして、できる限り薄状平坦に折り畳むことができて、要介護者をベッド用敷きマットや敷布団等の敷き寝具上を転移させた際に、安全かつ容易に敷き寝具上から浴槽内への移動を可能とする介護用入浴装置を提供することを目的としている。
【課題を解決するための手段】
【００１２】
本考案に係る介護用入浴装置は、要介護者が仰臥状態で入浴可能な縦長の浴槽を、一枚のシートから構成する床部形成体と、該床部形成体の外周部全域に水密的に囲繞設置された空気袋からなる周壁部形成体と、該周壁部形成体の頂部に外縁部の一の部位が固着されると共に外縁部の残りの部位がファスナーを介して着脱可能に設置されたシート状のカバー体と、を有して構成しており、前記床部形成体において、前記浴槽内に仰臥した状態の前記要介護者の頭部が位置する部位に別体構成の入浴用枕体を載置する枕体載置部位を形成すると共に、同じく前記浴槽内に仰臥した状態の前記要介護者の足部先方の部位に当該要介護者の足裏に対向して要介護者の前記浴槽内への潜り込みを防止する別体構成の足裏支持体を載置する足裏支持体載置部位を形成してなるものである。
【００１３】
かかる構成を有する本考案に係る浴槽は、その床部形成体を一枚のシートから構成すると共に、入浴用枕体および足裏支持体を別体構成にすることによって床部形成体には入浴用枕体を載置するための枕体載置部および足裏支持体を載置するための足裏支持体載置部を形成しただけであることから、簡単な構成となって安価に製作できると共に軽量コンパクトであるといえ、取り扱い易くなって使用後に太陽光等により簡単に加熱乾燥消毒等ができて常に清潔に保持することができ、業務用は勿論一般家庭用としても好適な介護用入浴装置であるといえ、また、ベッド用敷きマットや敷布団等の敷き寝具上にセットすべく折り畳んだ際に、別体構成の入浴用枕体および足裏支持体を取り除いた状態で折り畳むことによって、折り畳み形状を非常に薄くしかも平坦な形状にすることができ、要介護者を敷き寝具上に転移させながら移動させ、敷き寝具と要介護者との間に浴槽を介在させ、その後周壁部形成体に空気を供給して膨張させれば、立体的な浴槽形状に形成することができることになって、従来の介護用入浴装置と相違して、入浴用枕体や足裏支持体が突起物となって、要介護者に影響を及ぼすことがなくなり、たとえ一人の介護者であっても、要介護者を安全かつ容易に入浴させることができ、一般家庭においても、介護者の負担をそれほど掛けることなく、要介護者の入浴回数を増やすことができ、延いては、要介護者を常に衛生的に保った状態で日常介護を快適に施してやることができる。
【００１４】
また、本考案に係る介護用入浴装置は、上記考案において、前記周壁部形成体が、仰臥状態の前記要介護者の胴部付近が位置する中央部対向周壁部間を幅広に形成すると共に、該幅広の中央部対向周壁部を挟んで前記要介護者の頭部を取囲む頭部側端部対向周壁部間および前記要介護者の足部を取囲む足部側端部対向周壁部間を前記床部形成体内方に向かって絞り込むことによって幅狭に形成することによって、平面視両端部先細り状の略舟形形状を呈して構成されるようにしてもよい。
【００１５】
かかる構成により、浴槽を、単に平面視縦長の矩形状に形成するのに比して、平面視両端部先細り状の舟形形状に呈していることから、湯水使用量を少なくすることができ、しかも、浴槽の周囲から入浴介護を行う介護者にとって、要介護者の胴部は勿論、頭部や足部にも介護者が近づくことができ、かかる結果、要介護者の入浴介護行為が非常にやりやすくすることができる。
【００１６】
また、本考案に係る介護用入浴装置は、上記考案の前記浴槽において、当該浴槽内に湯水を注入する注入口を前記要介護者の足部又は頭部が位置する部位周辺に設けると共に、前記要介護者の胴部が位置する部位周辺に前記浴槽内の湯水を外部に排出する排出口を設けるようにしてもよい。
【００１７】
かかる構成により、浴槽内には要介護者の足部側又は頭部側に位置する注入口より湯水張りを行うのに対し、入浴後張られた湯水を要介護者の胴部が存する部位周辺に形成した排出口より外部に排出するようにしたことから、床部形成体における要介護者の胴部の重みによってより深く窪んでいる部分から、湯水の排出を行うように構成することができて、浴槽内に滞留した汚物を湯水と共にかかる部分から円滑に排出口まで誘導して、より確実に外部に排出することができ、特別丁寧な手入れをすることなく常に清潔感あるものに保持することができることになる。
【００１８】
また、本考案に係る介護用入浴装置は、前記考案において、前記湯水の注入口が、湯水供給パイプを挿着すべく前記カバー体に穿設した孔部によって構成すると共に、前記湯水の排出口は、折り畳み可能に構成した排出パイプの一端を前記浴槽内に開口設置することによって構成するようにしてもよい。
【００１９】
かかる構成により、湯水の注入口は、カバー体に穿設した孔部によって構成していることから、上記した浴槽を折り畳む際に何等妨げとはならず、しかも、湯水の排出パイプは、折り畳み可能に構成したことから、やはり、上記した浴槽を折り畳む際に何等妨げとならず、この点からの、折り畳んだ状態の浴槽を薄状の平坦形状にすることができることになる。
【００２０】
また、本考案に係る介護用入浴装置は、前記考案の前記カバー体における前記外縁部の一の部位を、前記周壁部形成体における前記足部側端部対向周壁部の頂部に固着すると共に、前記外縁部の残りの部位が、前記周壁部形成体における前記中央部対向周壁部および前記頭部側端部対向周壁部の頂部にファスナーを介して着脱可能に取付けられているようにしてもよい。
【００２１】
要介護者の入浴時には、カバー体は周壁部形成体における足部側端部対向壁の後方に追いやっておくことによって、入浴介護作業の邪魔とならず、介護者は要介護者の入浴介護動作に専念することができる。
【００２２】
また、本考案に係る介護用入浴装置は、前記考案における前記カバー体を前記周壁部形成体にファスナーを介して取付ける際に、前記周壁部形成体の頂部に予め長尺帯状のファスナー取付け用シート材の一側長辺端部を水密的に設置し、該ファスナー取付け用シート材の他側長辺端部を前記ファスナーの取付け部位として構成するようにしてもよい。
【００２３】
かかる構成により、ファスナー取付け用シート材を、カバー体を取外した状態において、周壁部形成体の頂部から浴槽内に向かって庇状に張出すことができるように構成することによって、要介護者の入浴中に飛散する湯水や石鹸泡などが介護者にむやみに引っ掛からないようにすることができる。
【考案の効果】
【００２４】
上記のように構成する本考案は、浴槽を構成する床部形成体を一枚のシートから構成すると共に、入浴用枕体および足裏支持体を別体構成にすることによって床部形成体には入浴用枕体を載置するための枕体載置部および足裏支持体を載置するための足裏支持体載置部を形成しただけであることから、簡単な構成となって安価に製作できると共に軽量コンパクトであることから、取り扱い易くなって使用後に太陽光等により簡単に加熱乾燥消毒等ができて常に清潔に保つことができ、業務用は勿論一般家庭用としても好適な介護用入浴装置を提供でき、また、ベッド用敷きマットや敷布団等の敷き寝具上にセットすべく折り畳んだ際に、別体構成の入浴用枕体および足裏支持体を取り除いた状態で折り畳むことによって、折り畳み形状を非常に薄くしかも平坦な形状にすることができ、要介護者を敷き寝具上に転移させながら移動させ、敷き寝具と要介護者との間に浴槽を介在させ、その後周壁部形成体に空気を供給して膨張させれば、立体的な浴槽形状に形成することができることになって、従来の介護用入浴装置と相違して、入浴用枕体や足裏支持体が突起物となって、要介護者に影響を及ぼすことがなくなり、たとえ一人の介護者であっても、要介護者を安全かつ容易に入浴させることができ、一般家庭においても、介護者に負担をそれほど掛けることなく、要介護者の入浴回数をふやすことができ、延いては、要介護者を常に衛生的に保った状態で日常介護を快適に施してやることができる。
【考案を実施するための形態】
【００２５】
本考案の実施例に係る介護用入浴装置は、従来のような付属装置による要介護者への影響を無くして、できる限り薄状平坦に折り畳むことができて、要介護者をベッド用敷きマットや敷布団等の敷き寝具上を転移させた際に、安全かつ容易に敷き寝具上から浴槽内への移動を可能となるように構成したものである。
【００２６】
先ず、図１乃至図４に示すように、本考案の実施例に係る介護用入浴装置Ｘは、要介護者が仰臥状態で入浴可能な縦長の浴槽１を有して構成している。
【００２７】
浴槽１は、例えば塩化ビニール等の防水性能のある樹脂製シート一枚から構成する床部形成体２と、床部形成体２の外周全域に水密的に囲繞設置された空気袋からなる周壁部形成体３と、周壁部形成体３における浴槽１の開口部１ａとなる頂部３ａに取付けられ開口部１ａを覆って浴槽１内部を外部から遮断するカバー体４と、を有して構成している。
【００２８】
なお、床部形成体２は、上記実施例においては、一枚のシートから構成したが、これに限定されるものでなく、折り畳み可能な範囲において、薄手のシートを複数枚適宜積層して、実質的には一枚の厚手のシートに構成するようにしてもよい。
【００２９】
また、周壁部形成体３は、その内部に空気を供給して膨らませるために、図１及び図２に示す空気供給パイプ１５から空気を供給するように構成されている。
【００３０】
そして、周壁部形成体３は、平面視において、入浴を必要とする仰臥状態の要介護者５の胴部５ａおよび脚部５ｂ付近が位置する中央部対向周壁部３−１間を外方に緩やかに凸湾曲形状に広げて幅広に形成されていると共に、幅広の各中央部対向周壁部３−１を挟んで要介護者５の頭部５ｃを囲繞する頭部側端部対向周壁部３−２間および要介護者５の足部５ｄを囲繞する足部側端部対向周壁部３−３間が床部形成体２の内方に向けて絞り込ませることによって幅狭に形成することによって、平面視両端先細り状の舟形形状を呈して構成されている。
【００３１】
また、浴槽１において、かかる浴槽１内に湯水を注入する注入口６は、仰臥状態の要介護者５の足部５ｄが位置する部位周辺に設けるべく、カバー体４を穿設することによって形成してあり、一端が不図示の給湯設備に連結された別体の給湯パイプ７の他端が着脱可能に嵌合するように構成されている。
【００３２】
なお、注入口６は、仰臥状態の要介護者５の頭部５ｃ側に設置してもよく、また、頭部５ｃおよび足部５ｄの両方に設置するようにしてもよい。
【００３３】
更に、浴槽１において、かかる浴槽１内の湯水を外部に排出する排出口８は、仰臥状態の要介護者の胴部５ａが位置する部位周辺に設けるべく、床部形成体２に折り畳み可能に構成した排出パイプ９の一端を開口設置することによって構成しており、排出パイプ９の他端には、例えばポリエチレン等の硬質樹脂を成形して形成した別体の導出パイプ（不図示）を嵌め込むことによって定型的なパイプ形状に構成することによって、排湯場所まで導いて浴槽１内の湯水を円滑に排出するようになっている。
【００３４】
カバー体４は、例えば塩化ビニールシート等の防水性能がある樹脂製シートを周壁部形成体３における平面視両端先細り状の略舟形形状に適合する形状に裁断することによって構成されている。
【００３５】
カバー体４における外縁部４ａのうち、一の部位は、周壁部形成体３における足部側端部対向周壁部３−３の頂部に接着剤或いは熱加締め等により固着されており、外縁部４ａの残りの部位は、周壁部形成体３における中央部対向周壁部３−１および頭部側端部対向周壁部３−２の頂部にファスナー１０を介して着脱可能に取付けられている。なお、ファスナー１０としては、面ファスナー、線ファスナー或いはビニールファスナー等各種構造のものを使用することができるが、本実施例では、線ファスナーを使用した例を示している。
【００３６】
そして、ファスナー１０によりカバー体４の外縁部４ａの取付ける際に、中央部対向周壁部３−１および頭部側端部対向周壁部３−２の頂部には、予め長尺帯状のファスナー取付け用シート材１１の一側長辺端部が水密的に接着剤或いは熱加締め等により固着設置しておくと共に、ファスナー取付け用シート材１１の他側長辺端部には、ファスナー１０を構成する互いに噛合する一対のファスナー片の一方側が縫製等により装着されており、ファスナー１０の一対のファスナー片の他方側は、カバー体４の外縁部４ａの残りの部位に縫製等により装着されている。
【００３７】
このようにして、カバー体４は、ファスナー１０による周壁部形成体３への装着を取外すことによって、周壁部形成体３への固着部分を中心として、図３に示すように周壁部形成体３の足部側端部対向周壁部３−３より外方に移動させて、浴槽１の開口部１ａを開口させることができる。
【００３８】
かかるカバー体４は、浴槽１の開口部１ａを閉塞した状態において、要介護者５の顔面部５ｅを表出させるために、先端部が短くなるように切断されている。
【００３９】
ファスナー取付け用シート材１１は、ファスナー１０の噛合状態を解きカバー体４を取外した状態においては、周壁部形成体３の頂部３ａから浴槽１内に向かって庇状に張出すことができるように、カバー体４と同質材料の例えば塩化ビニールシートで構成するも比較的厚手の材料のものを使用しており、要介護者５の入浴中に飛散する湯水や石鹸泡などが介護者（不図示）にむやみに引っ掛からないようにするようになっている。
【００４０】
床部形成体２において、浴槽１内に仰臥した状態の要介護者５の頭部５ｃが位置する部位は、別体構成の入浴用枕体１２を載置する枕体載置部位３Ａに形成されていると共に、要介護者５の足部５ｄ先方部位は、当該要介護者５の足裏５ｄ−１を対向させて要介護者５の浴槽１内への潜り込みを防止する別体構成の足裏支持体１３を載置する足裏支持体載置部位３Ｂが形成されている。
【００４１】
なお、入浴用枕体１２および足裏支持体１３は、例えば、ポリエチレン製タンクなどある程度の重量を有して構成し、内部に湯水等を入れることによって、浴槽１に湯水を張った場合に容易に浮き上がらないように構成されている。
【００４２】
以上説明したように構成する本考案に係る実施例において、ベッド用敷きマット或いは敷布団等の敷き寝具上に仰臥している要介護者５を実際に入浴させるための準備過程を次に説明する。
【００４３】
先ず予め、図５に示すように、周壁部形成体３内の空気は排出しておくとともに、ファスナー１０の噛合関係を解いたカバー体４を周壁部形成体３の足部側端部対向周壁部３−３から浴槽１の外方に捲り上げた状態で、浴槽１は、床部形成体２をその長手方向に向かって例えば複数重に折り畳んでおく。
【００４４】
次に、このように折り畳んだ浴槽１を、図６に示すように、例えば要介護者５を敷き寝具１４の略中央部に仰臥させた状態で、敷き寝具１４における要介護者５の一方側（図示状態では右側）に形成されたスペースに載置する。
【００４５】
次に、図７に示すように、敷き寝具１４における他方側に形成されたスペースに、要介護者５をその他方側（図示状態では左側）を下にして転移させ、敷き寝具１４の中央部にスペースを作り、しかる後、床部形成体２の折り畳み状態を一部解いて、浴槽１の一方側の周壁部形成体３の端部を要介護者５の背中５ｆに添設する。
【００４６】
次に、図８に示す如く、要介護者５の一方側（図示状態で右側）を敷き寝具１４に沿って浴槽１上を転移させ、要介護者５を浴槽１の上に仰臥状態にさせる。
【００４７】
更に、図９に示すように、要介護者５の一方側（図示状態で右側）を下になるように、敷き寝具１４上を沿って要介護者５を浴槽１上を転移させ、折り畳み状態が一部解かれた床部形成体２上に要介護者５を移動させて床部形成体２上に仰臥状態にする。
【００４８】
次に、図１０に示すように、床部形成体２の残りの折り畳み状態を解いて、浴槽１の一方側の周壁部形成体３を敷き寝具１４の他方側に延設載置する。
【００４９】
かかる後に、例えば図４に示すように、床部形成体２の枕体載置部位３Ａに入浴用枕体１２を載置して、要介護者５の頭部５ｃを支えるようにし、また、足裏支持体載置部位３Ｂに足裏支持体１３を載置して、要介護者５の足裏５ｄ−１に近接対向させて、要介護者５が、入浴用枕体１２から頭部５ｃが外れて浴槽１の内方に潜り込まないようにしておく。
【００５０】
かかる状態から、図１１に示すように、周壁部形成体３内に空気供給パイプ１５より空気を供給して、周壁部形成体３を膨らませることによって、浴槽１が立体的に形成されることになる。
【００５１】
更に、立体的に形成された浴槽１内に、注入口６より湯水を供給して、要介護者５を入浴させることになる。
【００５２】
このとき、要介護者５を十分暖めるため或いは浴槽１内の湯水等の外部への飛散を防止するためには、図１２に示すように、ファスナー１０を噛合することによって、カバー体４を浴槽１の開口部１ａを閉塞しておくことになる。
【００５３】
また、浴槽１内で要介護者５を洗うためには、再びファスナーの噛合状態を解いてカバー体４を床部形成体２の足部側端部対向壁部３−３の外側に移動させておき、浴槽１の開口部１ａを開口することになる。
【００５４】
この際、床部形成体２に対面している要介護者５の背中５ｆの洗い流しを行う場合、介護者が、要介護者５の背中５ｆに片方の手を添えて上方に持ち上げることによって行うことになる。これは、要介護者５の背中５ｆに介護者の片方の手を添えて、要介護者５を持ち上げれば、湯水の浮力によって要介護者５が床部形成体２に対して浮き上がることになり、要介護者５の背中５ｆと床部形成体２との間により大きな隙間ができて、かかる隙間を利用して、介護者のもう片方の手を使って、背中５ｆを洗い流すことができ、床部形成体２に要介護者の背中５ｆ浮き上がらせるための特別に構造を施す必要がないことになる。
【００５５】
以上説明した本考案に係る実施例における浴槽１は、床部形成体２を実質一枚のシートから構成すると共に、付属物である入浴用枕体１２および足裏支持体１３を別体構成にしたことによって床部形成体２には入浴用枕体１２を載置するための枕体載置部位３Ａおよび足裏支持体１３を載置するための足裏支持体載置部位３Ｂを形成しただけであることから、簡単な構成となって安価に製作できると共に軽量コンパクトであることから、取り扱い易くなって使用後に太陽光等により簡単に加熱乾燥消毒等ができて常に清潔に保つことができ、業務用は勿論一般家庭用としても好適な介護用入浴装置を提供でき、また、ベッド用敷きマットや敷布団等の敷き寝具１４上にセットすべく折り畳んだ際に、別体構成の入浴用枕体１２および足裏支持体１３を取り除いた状態で折り畳むことによって、折り畳み形状が非常に薄くしかも凹凸の少ない平坦な形状にすることができる。
【００５６】
かかる結果、要介護者５を敷き寝具１４上に転移させながら移動させ、敷き寝具１４と要介護者５との間に折り畳んだ状態の浴槽１を介在させ、その後周壁部形成体３に空気を供給して膨張させれば、浴槽１は立体的な形状に形成することができることから、従来の介護用入浴装置と相違して、入浴用枕体１２や足裏支持体１３が突起物となって要介護者５に影響を及ぼすことがなくなり、たとえ一人の介護者であっても、要介護者５を安全に勝つ容易に入浴させることができ、一般家庭においても、介護者にそれほど負担を掛けることなく、要介護者の入浴回数を増やすことができ、延いては、要介護者を常に衛生的に保って状態で日常介護を快適に施してやることができる。
【００５７】
また、浴槽１を構成する周壁部形成体３は、仰臥状態の要介護者５の胴部５ａ付近が位置する中央部対向周壁部３−１間を幅広に形成すると共に、幅広の中央部対向周壁部を挟んで要介護者５の頭部５ｃを取囲む頭部側端部対向周壁部３−２間および要介護者５の側部を取囲む足部側端部対向周壁部３−３間を床部形成体２の内方に向かって絞り込むことによって幅狭に形成することによって、平面視両端部先細り状の略舟形形状を呈して構成していることから、単位平面視縦長の矩形状に形成する場合に比して、浴槽１へ張る湯水使用量を少なくすることができ、しかも、介護者が浴槽１の周囲から要介護者５の入浴介護を行う際に、介護者は、要介護者５の胴部５ａは勿論頭部５ｃや足部を含めた脚部５ｂを介護者側に近づけることができ、要介護者５の入浴介護行為を非常にやりやすくすることができる。
【００５８】
また、浴槽１は、要介護者５の足部５ｄ（および／又は頭部５ｃ）が位置する部位周辺に設けた注入口６より湯水張りを行うのに対し、要介護者５の入浴後張られた湯水を要介護者５の胴部５ａが存する部位周辺に形成した排出口８より排出パイプ９を介して外部に排出するようにしたことから、床部形成体２における要介護者５の胴部５ａの重みによって深く窪んでいる部分から湯水の排出が行われるように構成することができて、浴槽１内に滞留している汚物をも湯水と共にかかる部分から滞留させることなく円滑に排出口８まで誘導して、より確実に外部に湯水と共に排出することができ、その後は新しい綺麗な湯水に入れ替えしやすく、また、軽量で持ち運びやすいことから、太陽光等による加熱乾燥等簡単な処置により消毒でき、特別丁寧な手入れをすることなく常に清潔感あるものに保持することができることになる。
【００５９】
また、湯水の注入口６は、カバー体４に穿設した孔部によって構成していることから、浴槽１を折り畳む際に何等の妨げとはならず、しかも、湯水の排出パイプ９は、折り畳み可能に構成していることから、やはり、浴槽１を折り畳む際に何等の妨げとならず、これらの点からも、折り畳んだ状態の浴槽１を薄状の平坦形状にすることができることになる。
【００６０】
また、カバー体４の外縁部４ａのうち、一の部位は周壁部形成体３における足部側端部対向周壁部３−３の頂部に固着するとともに残りの部位が周壁部形成体３における中央部対向周壁部３−１および頭部側端部対向周壁部３−２の頂部にファスナー１０を介して着脱可能に取付けられていることから、要介護者５の入浴時には、カバー体４は足部側端部対向周壁部３−３の後方に追いやっておくことによって、介護者の入浴介護作業の邪魔とならず、介護者は要介護者の入浴介護動作に専念することができる。
【００６１】
また、ファスナー取付け用シート材１１は、カバー体４を取外した状態においては周壁部形成体３の頂部から浴槽１内に向かって庇状に張り出すことができるように構成していることから、要介護者５へ入浴中に飛散する湯水や石鹸泡などが介護者にむやみに引っ掛からないようにすることができる。
【００６２】
なお、前記実施例におけるカバー体４は、ファスナー取付け用シート材１１を介して中央部対向周壁部３−１及び頭部側端部対向周壁部３−２の頂部３ａにファスナー１０を用いて連続的に取り付けるようにしたが、これに限定されるものではなく、例えば、ファスナー１０として、食品などを入れるためのポリ袋の開口部を閉塞する不図示のビニールチャックなどを使用して、ファスナー取付けシート材１１から所々間欠的に取外すようにして、浴槽１の開口部１ａを部分的に開口形成し、且つ、当該部分的開口部を順次繰り返し移動させながら、当該部分的開口部から介護者の手などを入れて、要介護者５の身体を洗うようにすれば、カバー体４が介護者への浴槽１内の湯水等の飛散を防止することができるとともに要介護者５の保温機能を高めることができ、かかる場合、カバー体４の開口した部分が介護者の作業に邪魔にならないようにするために、紐等を取り付け、かかる紐を介護者の首或いは建物の天井等に引っ掛けて置くことが考えられる。このように部分的に開口した部分をカバー体４に形成するために、当該カバー体４は、浴槽１の開口部１ａの面積より大きめな寸法取りを行うようにしておくと、取り扱い易くなる。
【００６３】
また、前記実施例においては、カバー体４は、浴槽１の開口部１ａを閉塞した状態において、要介護者５の顔面部５ｅを表出させるべく先端部を短くなるように切断構成したが、かかる構成に限定されるものではなく、例えば、浴槽１の開口部１ａを全面的に閉塞するようにするとともに、要介護者５の頭部５ｃが浴槽１外に表出させるための頭部表出開口部を設け、該頭部表出開口部の周縁部を、ゴム紐等を取付けて、伸縮可能に構成することによって、要介護者５の首部周りに密着させるようにすれば、浴槽１内の湯水等がカバー体４によって要介護者５の頭部５ｃや顔面部５ｅに飛散するのを防止するようにしてもよい。
【産業上の利用可能性】
【００６４】
以上説明したように、本考案は、付属装置による要介護者への影響を無くして、簡単な構成で安価に製作でき、使用後には太陽光等により乾燥させて常に清潔に保つことができ、また、できる限り薄状平坦に折り畳むことができて、要介護者をベッド用敷きマットや敷布団等の敷き寝具上を転移させた際に、安全かつ容易に敷き寝具上から浴槽内への移動を可能としたことから、寝たきり高齢者や病人等の要介護者の入浴に適する介護用入浴装置、特に、要介護者が仰臥しているベッド用敷きマット或いは敷布団等の敷き寝具上に載置して使用するのに適する介護用入浴装置等に好適である。
【図面の簡単な説明】
【００６５】
【図１】本考案の実施例に係る介護用入浴装置をベッド用敷きマット或いは敷布団等の敷き寝具上に載置して浴槽の開口をカバー体で覆った状態を描画した斜視図である。
【図２】同じく介護用入浴装置について浴槽の開口部をカバー体で覆った状態を描画した平面図である。
【図３】同じくカバー体を外して介護用入浴装置の浴槽の開口部を開口した状態を描画した平面図である。
【図４】同じく、図３のＡ−Ａ断面図である。
【図５】同じく、敷き寝具上に載置する前段階において、介護用入浴装置を折り畳んだ状態を短手方向に縦断した状態を概略的に描画した説明図である。
【図６】図５に示す折り畳み状態の介護用入浴装置を仰臥状態の要介護者の一方側端部における敷き寝具上の長手方向に添設載置した状態を要介護者の頭部側から概略的に描画した説明図である。
【図７】図６に示す状態から、要介護者をその左側を下に横向きに横たわらせることによって敷き寝具の他方側端部に転移させて、介護用入浴装置の折り畳み状態の一部を解いて敷き寝具の一方側端部に載置した状態を要介護者の頭部側から概略的に描画した説明図である。
【図８】図７に示す状態から、要介護者を仰臥状態にして介護用入浴装置の未だ解れていない折り畳み状態部分上における敷き寝具の中央部に転移させた状態を要介護者の頭部側から概略的に描画した説明図である。
【図９】図８に示す状態から、更に要介護者を折り畳んだ介護用入浴装置の解れた側に転移させ、当該要介護者をその右側を下に横向きに横たわらせ、要介護者がいなくなった介護用入浴装置の残りの折り畳み部分を敷き寝具上に表出させた状態を要介護者の頭部側から概略的に描画した説明図である。
【図１０】図９における介護用入浴装置に残った折り畳み部分を解いて、敷き寝具の他方側端部に広げて載置した状態を要介護者の頭部側から概略的に描画した説明図である。
【図１１】図１０に示す状態より、介護用入浴装置の周壁部形成体内に空気を注入し膨らませることによって、立体的な浴槽が形成された状態を要介護者の頭部側から概略的に描画した説明図である。
【図１２】図１１に示す状態より、カバー体を張設することによって浴槽の開口部を覆った状態を要介護者の頭部側から概略的に描画した説明図である。
【符号の説明】
【００６６】
Ｘ      介護用入浴装置
１      浴槽
２      床部形成体
３      周壁部形成体
３ａ    頂部
３−１  中央部対向周壁部
３−２  頭部側端部対向周壁部
３−３  足部側端部対向周壁部
３Ａ    枕体載置部位
３Ｂ    足裏支持体載置部位
４      カバー体
４ａ    外縁部
５      要介護者
５ａ    胴部
５ｂ    脚部
５ｃ    頭部
５ｄ    足部
６      注入口
８      排出口
９      排出パイプ
１０    ファスナー
１１    ファスナー取付け用シート材
１２    入浴用枕体
１３    足裏支持体
１４    敷き寝具
【図１】
0003152769.tif 000003
【図２】
0003152769.tif 000004
【図３】
0003152769.tif 000005
【図４】
0003152769.tif 000006
【図５】
0003152769.tif 000007
【図６】
0003152769.tif 000008
【図７】
0003152769.tif 000009
【図８】
0003152769.tif 000010
【図９】
0003152769.tif 000011
【図１０】
0003152769.tif 000012
【図１１】
0003152769.tif 000013
【図１２】
0003152769.tif 000014